(57)【要約】【課題】熱膨張によって生じる吹き出し口の周囲の部材に対する力を低減する。【解決手段】空気調和機は、吹き出し口１６の一部を構成する第１の部材１００と、吹き出し口１６の上面の少なくとも一部を構成し、第１の部材１００に対して左右方向にアソビを有して取り付けられる第２の部材２００と、を備える。好ましくは、第２の部材２００は、複数箇所において第１の部材１００に対して左右方向にアソビを有して取り付けられる。【選択図】図８
2018179398.tif 000002
【特許請求の範囲】
【請求項１】
空気調和機であって、
吹き出し口の周囲を構成する第１の部材と、
前記吹き出し口の上面の少なくとも一部を構成し、前記第１の部材に対して左右方向にアソビを有して取り付けられる第２の部材と、を備える空気調和機。
【請求項２】
前記第２の部材は、複数箇所において前記第１の部材に対して左右方向にアソビを有して取り付けられる、請求項１に記載の空気調和機。
【請求項３】
前記第２の部材は、左右中間部分において、前記第１の部材に対する位置決め部を含む、請求項１または２に記載の空気調和機。
【請求項４】
前記第２の部材と前記第１の部材との間の、前記吹き出し口に接する箇所に隙間が形成され、
当該隙間の左右方向の幅が前記アソビの距離よりも大きい、請求項１から３の何れか１項に記載の空気調和機。
【請求項５】
前記隙間を覆うための部材を含む、請求項４に記載の空気調和機。
【請求項６】
前記アソビは、前記第２の部材を前記第１の部材に取り付けるための段付きビスによって実現される、請求項１から５の何れか１項に記載の空気調和機。
【発明の詳細な説明】
【技術分野】
【０００１】
本発明は、空気調和機に関し、特に空気調和機の吹き出し口の周囲の構造に関する。
【背景技術】
【０００２】
空気調和機の室内機には、ファンからの風を吹き出す吹き出し口が設けられている。そして、たとえば特開平９−６８３４４号公報（特許文献１）には、空気調和機のルーバが開示されている。室内に設置する空気調和機の空気の吹き出し口に取り付けるルーバであって、空気調和機からの空気を通すために並列に配置した帯板長尺状の羽板を備え、その羽板は、羽板本体と、その長手方向に貫通する羽板貫通孔と、その羽板貫通孔の内周面に固着して羽板本体と一体化する線部材とを備え、その線部材は、羽板本体の変形を抑制するために羽板本体より大きな引張り強さを有し、かつ羽板本体より小さな熱膨張率を有するものから形成されている。
【先行技術文献】
【特許文献】
【０００３】
【特許文献１】特開平９−６８３４４号公報
【発明の概要】
【発明が解決しようとする課題】
【０００４】
しかしながら、吹き出し口の近傍に長い部材を配置する場合、当該部材の熱膨張によって吹き出し口の周囲の部材に強い力がかかってしまう可能性がある。本発明では、熱膨張によって生じる吹き出し口の周囲の部材に対する力を低減することを目的とする。
【課題を解決するための手段】
【０００５】
本発明の一局面にかかる空気調和機は、吹き出し口の周囲を構成する第１の部材と、吹き出し口の上面の少なくとも一部を構成し、第１の部材に対して左右方向にアソビを有して取り付けられる第２の部材と、を備える。
【発明の効果】
【０００６】
本発明の一局面にかかる空気調和機によれば、熱膨張によって生じる吹き出し口の周囲の部材に対する力を低減することができる。
【図面の簡単な説明】
【０００７】
【図１】第１の実施の形態にかかる空気調和機の室内機１の外観構成を示す図面である。
【図２】第１の実施の形態にかかるフラップ１５を開けた状態を示す空気調和機の室内機１を示す図面である。
【図３】第１の実施の形態にかかる室内機１の下部を構成するドレンパン１００とドレンパン１００に取り付けられる上パネル２００とを示す下方斜視図である。
【図４】第１の実施の形態にかかる上パネル２００を取り外した状態のドレンパン１００を示す正面図である。
【図５】第１の実施の形態にかかるドレンパン１００から取り外された状態の上パネル２００を示す正面図である。
【図６】第１の実施の形態にかかる左右風向ユニット５０を取り外した状態を示すドレンパン１００の正面図である。
【図７】第１の実施の形態にかかる上パネル２００をドレンパン１００に取り付けた状態を示す上パネル２００とドレンパン１００の右半分を示す一部断面正面図である。
【図８】第１の実施の形態にかかる上パネル２００をドレンパン１００に取り付けた状態を示す上パネル２００とドレンパン１００の右部を示す拡大断面図である。
【図９】第１の実施の形態にかかる段付きビス３００の断面図である。
【図１０】第１の実施の形態にかかる上パネル２００をドレンパン１００に取り付けた状態を示す上パネル２００とドレンパン１００の左部を示す拡大断面図である。
【図１１】第２の実施の形態にかかる上パネル２００をドレンパン１００に取り付けた状態を示す上パネル２００とドレンパン１００の右部を示す拡大断面図である。
【図１２】第３の実施の形態にかかる上パネル２００をドレンパン１００に取り付けた状態を示す上パネル２００とドレンパン１００の右半分を示す一部断面正面図である。
【図１３】第３の実施の形態にかかる上パネル２００をドレンパン１００に取り付けた状態を示す上パネル２００とドレンパン１００の右部を示す拡大断面図である。
【発明を実施するための形態】
【０００８】
以下、図面を参照しつつ、本発明の実施の形態について説明する。以下の説明では、同一の部品には同一の符号を付してある。それらの名称および機能も同じである。したがって、それらについての詳細な説明は繰り返さない。
【０００９】
〔第１の実施形態〕
＜空気調和機の全体構成＞
先ず、本実施の形態にかかる空気調和機の構成について説明する。図１は、本実施の形態にかかる空気調和機の室内機１の外観構成を示す図面である。図２には、フラップ１５を開けた状態を示す空気調和機の室内機１を示す図面である。
【００１０】
本実施の形態にかかる空気調和機は、セパレート式の空気調和機であって、主として、室内機１と室外機（図示せず）とから構成されている。室外機には、圧縮機、室外側熱交換器、四方弁、膨張弁などが備えられている。これらと室内機１側に備えられた室内側熱交換器とによって冷凍サイクルが構成される。なお、室外機には室外ファンが搭載され、室内機１には室内ファンが搭載される。
【００１１】
室内機１の筐体１０は略直方体状の樹脂成形品である。筐体１０は、主として、前面パネル１１、本体パネル１２、背面パネル１３、およびフラップ１５で構成されている。
【００１２】
なお、説明の便宜上、以下では、前面パネル１１が配置されている側を室内機１の前面側（または前方側）とし、背面パネル１３が配置されている側を室内機１の背面側（または後方側）とする。そして、室内機１の前面側から背面側、または背面側から前面側へ向かう方向のことを、前後方向という。また、室内機１の通常の設置状態において、上方から下方または下方から上方へ向かう方向のことを、上下方向または鉛直方向という。また、この上下方向と交差または直交する方向のことを、水平方向または左右方向という。また、前面パネル１１を正面から見た状態で、右側に位置する室内機１の側面を右側面とし、左側に位置する室内機１の側面を左側面とする。
【００１３】
本体パネル１２の下部には、熱交換後の空気を送出する吹き出し口１６が設けられている。そして、吹き出し口１６にフラップ１５が開閉可能に設けられている。フラップ１５には、後述する駆動モータが連結されている。駆動モータは、電気配線を介しての電装基板（図示せず）に通信接続されており、空気調和機の運転中、電装基板に設けられた制御部からの制御信号に従ってフラップ１５の回転角度を調節する。
【００１４】
例えば、冷房運転時には、制御部は、フラップ１５を開け、フラップ１５が冷風を斜め上方向に導き、冷風が天井に沿って吹き出すように、フラップ１５の回動角度を調節する。また、暖房運転時には、制御部はフラップ１５を開け、フラップ１５が前方に向かって吹き出される温風を押さえ込み、温風を床面方向に導くように、フラップ１５の回動角度を調節する。なお、冷房運転の初期時には、冷風が床面方向に吹き出されるようにフラップ１５の回動角度を調節し、急速冷房を行ってもよい。また、フラップ１５は、運転停止時には閉状態となって、吹き出し口１６を閉じる。
【００１５】
本実施の形態においては、吹き出し口１６には、さらに上下風向板２１および複数の左右風向板５１，５１・・・が備えられている。上下風向板２１は、吹き出し口１６から吹き出す風（気体）の向きを上下に変更（偏向）する。上下風向板２１は、上下風向ルーバとも呼ばれる。左右風向板５１，５１・・・は、吹き出し口１６から吹き出す風（気体）の向きを左右に変更（偏向）する。左右風向板５１，５１・・・は、左右風向ルーバとも呼ばれる。
【００１６】
上下風向板２１は、後述する駆動モータと接続されている。駆動モータは、電気配線を介しての電装基板（図示せず）に通信接続されており、空気調和機の運転中、電装基板に設けられた制御部からの制御信号に従って上下風向板２１の上下方向の角度を調節する。
【００１７】
＜吹き出し口１６周囲の構成＞
次に、図３を参照して、室内機１の吹き出し口１６周囲の構造物について説明する。なお、図３は、室内機１の下部を構成するドレンパン１００とドレンパン１００に取り付けられる上パネル２００とを示す下方斜視図である。
【００１８】
ドレンパン１００は、ケーシング１０１や、フラップ用のモータ１１０Ｌ，１１０Ｒや、当該モータ１１０Ｌ，１１０Ｒのための電装基板などから構成される。ケーシング１０１には、熱交換後を吹き出すための吹き出し口１６や、上パネル２００が嵌め込まれる開口部１７などが形成されている。
【００１９】
また、ケーシング１０１の吹き出し口１６の前端部を形成する位置にはフラップ１５が取り付けられる。より詳細には、ドレンパン１００のケーシング１０１の左右方向の中間部に取り付けられる中央フレーム１２０の凹部１２２にフラップ１５の後端部の中間部分が回動可能に引っかけられ、フラップ１５の後端部の右端部と左端部とが駆動モータ１１０Ｌ，１１０Ｒによって回動される軸１１１Ｌ，１１１Ｒに取り付けられる。
【００２０】
ドレンパン１００には上パネル２００が取り付けられる。より詳細には、上パネル２００は、ドレンパン１００の開口部１７に嵌め込まれる。上パネル２００には、上下風向板２１が取り付けられる。上下風向板２１の後端部は、上パネル２００の前端部の取り付け部材２０５，２０５に枢支される。上下風向板２１の後端部の左端部は、駆動モータ２１０によって回動される軸に取り付けられる。なお、上パネル２００を取り外した状態のドレンパン１００を示すのが図４である。そして、ドレンパン１００から取り外された状態の上パネル２００を示すのが図５である。
【００２１】
なお、本実施の形態にかかる上パネル２００には、ユニット装着部２０２が形成されている。ユニット装着部２０２には、図７に示すように、イオン発生器５００などが取り付けられる。
【００２２】
図３と図４に戻って、ドレンパン１００には、左右風向ユニット５０がユーザによって着脱可能に取り付けられる。左右風向ユニット５０は、上述した複数の左右風向板５１，５１・・・と、複数の左右風向板５１，５１・・・を連結するための連結フレーム５２と、複数の左右風向板５１，５１・・・を左右方向に回動可能に枢支するベース部５３とから構成される。ユーザは、ベース部５３のロック５５Ｌ，５５Ｒをスライドしてドレンパン１００への左右風向ユニット５０の固定を解除することによって、左右風向ユニット５０をドレンパン１００から取り外すことができる。なお、左右風向ユニット５０を取り外した状態を示すドレンパン１００の正面図が図６である。
【００２３】
＜上パネル２００をドレンパン１００へ取り付けるための構成＞
次に、図７および図８を参照して、上パネル２００のケーシング２０１の右部をドレンパン１００のケーシング１０１の右部に取り付けるための構成について説明する。図７は、上パネル２００のケーシング２０１の右部をドレンパン１００のケーシング１０１の右部に取り付けた状態を示す上パネル２００とドレンパン１００の右半分を示す一部断面正面図である。図８は、上パネル２００のケーシング２０１の右部をドレンパン１００のケーシング１０１の右部に取り付けた状態を示す上パネル２００とドレンパン１００の右部を示す拡大断面図である。
【００２４】
図７を参照して、ドレンパン１００のケーシング１０１のうちの、吹き出し口１６の上方のフレームの左右中央部には、すなわち開口部１７の下方のフレームの左右中央には、位置決め部としての凸部１０１Ｘが形成されている。また、図８を参照して、ケーシング１０１の右部には、左右方向の軸に対して垂直な右壁１０１Ｒが形成される。右壁１０１Ｒからは右方に向けてボス部１０２が形成される。ボス部１０２の内側にはネジ溝１０２Ａが形成されている。また、右壁１０１Ｒには、吹き出し口１６の内側に向けてカバー部１０５Ｒが形成されている。カバー部１０５Ｒは、正面断面視において三角形に形成されている。なお、カバー部１０５Ｒは、ケーシング１０１に一体的に成型されてもよいし、ケーシング１０１とは別の部材であってもよい。
【００２５】
一方、図７を参照して、上パネル２００のケーシング２０１の下部の左右中央部、すなわちドレンパン１００の凸部１０１Ｘに対向する位置に位置決め部としての凹部２０１Ｘが形成されている。また、図８を参照して、上パネル２００のケーシング２０１の右部には前方に向けてリブ２０１Ａが形成されている。リブ２０１Ａには、貫通孔２０１ＡＡが形成されている。
【００２６】
このように構成されているので、本実施の形態にかかる室内機１は、製造時に、上パネル２００のケーシング２０１とドレンパン１００のケーシング１０１との位置を合わせて、すなわちドレンパン１００の凸部１０１Ｘを上パネル２００の凹部２０１Ｘに嵌めこんだ状態で、右側用の段付きビス３００Ｒを右から左へ向けて貫通孔２０１ＡＡに通してから、ボス部１０２にネジ止めする。
【００２７】
特に、本実施の形態においては、図９に示すように、段付きビス３００Ｒは、ネジ部３１０と胴部３２０と頭部３３０とから構成される。胴部３２０は、ネジ部３１０よりも径が大きい。頭部３３０は、胴部３２０よりも径が大きい。そして胴部３２０の長さは、リブ２０１Ａの厚みよりＡｍｍだけ大きいため、リブ２０１Ａは、胴部３２０に沿って左右方向にスライドすることが可能である。すなわち、上パネル２００のケーシング２０１の右部が、ドレンパン１００のケーシング１０１に対して、アソビを有して取り付けられる。これによって、吹き出し口１６近傍の上パネル２００が、吹き出し口１６から吹き出す温風によって左右方向に膨張しても、リブ２０１Ａが段付きビス３００Ｒの周りをスライドできるため、ケーシング２０１，１０１にかかる力を低減することができる。
【００２８】
本実施の形態においてはさらに、ドレンパン１００のケーシング１０１と、上パネル２００のケーシング２０１とは、常温において、吹き出し口１６に面する箇所において、両者の間にＢｍｍの左右方向の隙間が生じるように設計されている。これによって、吹き出し口１６近傍の上パネル２００が、吹き出す温風によって左右方向に膨張しても、ケーシング２０１，１０１にかかる力を低減することができる。
【００２９】
そして、当該隙間を覆うためのカバー部１０５Ｒがドレンパン１００のケーシング１０１の右壁１０１Ｒに形成される。これによって、吹き出し口１６近傍の上パネル２００が、吹き出し口１６から吹き出す冷風によって左右方向に伸縮しても、ケーシング２０１，１０１同士の隙間から逃げる空気の量を低減することができる。なお、カバー部１０５Ｒが、正面断面視において三角形に形成されているため、すなわち、吹き出し口１６の右上端部が、右壁１０１Ｒからケーシング２０１まで、単なる直角よりも滑らかに構成されているため、静圧を低下させることも可能である。
【００３０】
より詳細には、本実施の形態においては、常温において、ドレンパン１００のケーシング１０１と上パネル２００のケーシング２０１との間の隙間Ｂｍｍは、胴部３２０の長さとリブ２０１Ａの厚みとの差Ａｍｍよりも大きく構成されている。これによって、上パネル２００のケーシング２０１の吹き出し口１６の上面の部分がドレンパン１００のケーシング１０１の右壁１０１Ｒにぶつかる前に、上パネル２００のケーシング２０１のリブ２０１Ａが右用の段付きビス３００Ｒの頭部３３０の座面３３１にぶつかり、リブ２０１Ａの周囲で応力を吸収することができる。
【００３１】
具体的には、常温において、リブ２０１Ａはボス部１０２に接するように設計され、リブ２０１Ａの右端から段付きビス３００Ｒの頭部３３０までの距離Ａｍｍは１〜２ｍｍ程度であることが好ましい。そして、常温において、上パネル２００のケーシング２０１の吹き出し口１６の上面の部分とドレンパン１００のケーシング１０１の右壁１０１Ｒとの隙間Ｂｍｍが、Ａｍｍよりも０．５ｍｍ〜１ｍｍ大きいことが好ましい。
【００３２】
次に、図１０を参照して、上パネル２００のケーシング２０１の左部をドレンパン１００のケーシング１０１の左部に取り付けるための構成について説明する。図１０は、上パネル２００のケーシング２０１の左部をドレンパン１００のケーシング１０１の左部に取り付けた状態を示す上パネル２００とドレンパン１００の左部を示す拡大断面図である。
【００３３】
上パネル２００のケーシング２０１には、左部に幅広部２０１Ｙが形成される。当該幅広部２０１Ｙには左から右に向けてネジ穴２０１Ｚが形成される。一方、ドレンパン１００のケーシング１０１には、左部に左壁１０１Ｌが形成されて、当該左壁１０１Ｌには貫通孔１０１ＬＡが形成されている。また、当該左壁１０１Ｌには右方向に向けてカバー部１０５Ｌが形成されている。カバー部１０５Ｌは、正面断面視において三角形に形成されている。なお、カバー部１０５Ｌは、ケーシング１０１に一体的に成型されてもよいし、ケーシング１０１とは別の部材であってもよい。
【００３４】
そして、製造時において、上パネル２００のケーシング２０１とドレンパン１００のケーシング１０１との位置を合わせて、すなわちドレンパン１００の凸部１０１Ｘを上パネル２００の凹部２０１Ｘに嵌めこんだ状態で、左用の段付きビス３００Ｌを左から右へ向けてドレンパン１００の貫通孔１０１ＬＡに通してから、上パネル２００のネジ穴２０１Ｚにネジ止めする。
【００３５】
特に、本実施の形態においては、段付きビス３００Ｌの胴部３２０の長さの方がドレンパン１００の左壁１０１Ｌの厚みよりも大きいため、左壁１０１Ｌが段付きビス３００Ｌに対して左右方向にスライドすることが可能である。すなわち、上パネル２００のケーシング２０１の左部が、段付きビス３００Ｌとともに、ドレンパン１００のケーシング１０１の左壁１０１Ｌに対して、アソビを有して取り付けられる。これによって、吹き出し口１６近傍の上パネル２００が、吹き出し口１６から吹き出す温風によって左右方向に膨張しても、段付きビス３００Ｌと上パネル２００の左部とがドレンパン１００の貫通孔１０１ＬＡに沿って左右方向にスライドするため、ケーシング２０１，１０１にかかる力を低減することができる。
【００３６】
つまり、ドレンパン１００のケーシング１０１と上パネル２００のケーシング２０１とは、常温において、両者の間にＣｍｍの隙間が生じるように設計されている。これによって、吹き出し口１６近傍の上パネル２００が、吹き出す温風によって左右方向に膨張しても、ケーシング２０１，１０１にかかる力を低減することができる。
【００３７】
具体的には、常温において、左壁１０１Ｌの左端部が段付きビス３００Ｌの頭部３３０に接するように設計され、幅広部２０１Ｙの左端と左壁１０１Ｌの右端部との距離Ｃｍｍは常温において１〜２ｍｍ程度であることが好ましい。
【００３８】
そして上述したように、当該隙間を覆うためのカバー部１０５Ｌが、ドレンパン１００の左壁１０１Ｌから吹き出し口１６に向けて形成される。これによって、吹き出す冷風によって上パネル２００が左右方向に伸縮しても、ケーシング２０１，１０１同士の隙間から逃げる空気の量を低減することができる。なお、カバー部１０５Ｌが、正面断面視において三角形に形成されているため、すなわち、吹き出し口１６の左上端部が、左壁１０１Ｌからケーシング２０１まで、単なる直角よりも滑らかに構成されているため、静圧を低下させることも可能である。
【００３９】
以上のように、本実施の形態にかかる空気調和機の室内機１は、ドレンパン１００と上パネル２００とが、吹き出し口１６の右上端と左上端とにおいて隙間を有し、かつ吹き出し口１６とは異なる場所でもアソビを有して連結されるので、熱膨張によってケーシング２０１，１０１同士にかかる力を低減することができる。
【００４０】
〔第２の実施形態〕
第１の実施形態においては、上パネル２００のリブ２０１Ａに関して、図８に示すように、段付きビス３００Ｒの上方の部分と下方の部分との左右方向の位置が異なるものであった。しかしながら、このような構成には限られない。たとえば、図１１に示すように、上パネル２００のリブ２０１Ｂに関して、段付きビス３００Ｒの上方の部分と下方の部分との、左右方向の位置が同じであってもよい。
【００４１】
〔第３実施形態〕
第１および第２の実施形態においては、段付きビス３００Ｌ，３００Ｒを利用することによってドレンパン１００に対する上パネル２００の移動すなわちアソビを実現するものであった。しかしながら、このような構成には限られない。
【００４２】
たとえば、図１２および図１３に示すように、通常のネジ３００Ｂと、ワッシャー４００とを利用してドレンパン１００に対する上パネル２００の移動すなわちアソビを実現してもよい。なお、図１２は、上パネル２００のケーシング２０１の右部をドレンパン１００のケーシング１０１の右部に取り付けた状態を示す上パネル２００とドレンパン１００の右半分を示す一部断面正面図である。図８は、上パネル２００のケーシング２０１の右部をドレンパン１００のケーシング１０１の右部に取り付けた状態を示す上パネル２００とドレンパン１００の右部を示す拡大断面図である。
【００４３】
図１２を参照して、本実施の形態においても、ドレンパン１００のケーシング１０１の吹き出し口１６の上方の左右中央部には、すなわち開口部１７の下部の左右中央には、凸部１０１Ｘが形成されている。図１３を参照して、ケーシング１０１の右部には、左右方向に垂直な右壁１０１Ｒが形成される。右壁１０１Ｒからは右方に向けてボス部１０２が形成される。ボス部１０２の内側にはネジ溝１０２Ａが形成されている。また、右壁１０１Ｒには、吹き出し口１６の内側に向けてカバー部１０５Ｒが形成されている。
【００４４】
一方、図１２を参照して、ケーシング２０１の下部の左右中央部、すなわちドレンパン１００の凸部１０１Ｘに対向する位置に凹部２０１Ｘが形成されている。図１３を参照して、上パネル２００のケーシング２０１の右部には前方に向けてリブ２０１Ｃが形成されている。特に本実施の形態においては、リブ２０１Ｃを、ドレンパン１００のボス部１０２が貫通する構成となっている。
【００４５】
そして、本実施の形態にかかる室内機１は、製造時に、上パネル２００のケーシング２０１のリブ２０１Ｃに、ドレンパン１００のケーシング１０１のボス部１０２を貫通させた状態で、ドレンパン１００の凸部１０１Ｘを上パネル２００の凹部２０１Ｘに嵌めこむ。そして、ワッシャー４００を嵌めた状態で、右部用のネジ３００Ｂを、右から左へ向けてボス部１０２にネジ止めする。
【００４６】
本実施の形態においては、リブ２０１Ｃは、ボス部１０２の周囲に沿って、ワッシャー４００の位置まで左右方向にスライドすることが可能である。すなわち、上パネル２００のケーシング２０１の右部が、ドレンパン１００のケーシング１０１に対して、アソビを有して取り付けられる。これによって、吹き出し口１６近傍の上パネル２００が、吹き出す温風によって左右方向に膨張しても、リブ２０１Ｃがボス部１０２の周りを左右方向にスライドし、ケーシング２０１，１０１にかかる力を低減することができる。
【００４７】
なお、リブ２０１Ｃが左へスライドしすぎないように、ボス部１０２には、その周囲に段差１０２Ｂを形成してもよい。すなわち、リブ２０１Ｃは、ボス部１０２に沿って、段差１０２Ｂからワッシャー４００までの間をスライド可能になる。
【００４８】
また、本実施の形態においても、ドレンパン１００のケーシング１０１と、上パネル２００のケーシング２０１とは、常温において、両者の間にＢｍｍの隙間が生じるように設計されている。これによって、吹き出し口１６近傍の上パネル２００が、吹き出す温風によって左右方向に膨張しても、ケーシング２０１，１０１にかかる力を低減することができる。
【００４９】
そして上述したように、当該隙間を覆うためのカバー部１０５Ｒがドレンパン１００のケーシング１０１に形成される。これによって、吹き出し口１６近傍の上パネル２００が、吹き出す冷風によって左右方向に伸縮しても、ケーシング２０１，１０１同士の隙間から逃げる空気の量を低減することができる。
【００５０】
より詳細には、本実施の形態においては、常温時における、ドレンパン１００のケーシング１０１と上パネル２００のケーシング２０１との間の、吹き出し口１６に面する隙間Ｂｍｍは、リブ２０１Ｃの右端とワッシャー４００の左端の距離Ａｍｍよりも大きく構成されている。これによって、上パネル２００のケーシング２０１の吹き出し口１６の上面の部分がドレンパン１００のケーシング１０１の右壁１０１Ｒにぶつかる前に、上パネル２００のケーシング２０１のリブ２０１Ｃがワッシャー４００にぶつかり、リブ２０１Ｃの周囲で応力を吸収することができる。
【００５１】
以上のように、本実施の形態にかかる空気調和機の室内機１は、ドレンパン１００と上パネル２００とが、吹き出し口１６の右上端と左上端とにおいて隙間を有し、かつ吹き出し口１６とは異なる場所でもアソビを有して連結されるので、熱膨張によってケーシング２０１，１０１にかかる力を低減することができる。
【００５２】
〔第４実施形態〕
第１〜第３の実施形態においては、ドレンパン１００と上パネル２００の左右の中間部において、ドレンパン１００の凸部１０１Ｘを上パネル２００の凹部２０１Ｘに嵌めて位置決めする構成としているが、このような構成には限られない。
【００５３】
たとえば、中間の位置決めを行わずに、ドレンパン１００の左部と上パネル２００の左部とをアソビを介して連結し、ドレンパン１００の右部と上パネル２００の右部とをアソビを介して連結してもよい。
【００５４】
あるいは、ドレンパン１００の凸部１０１Ｘと上パネル２００の凹部２０１Ｘとを吹き出し口１６の中央よりも左寄りに設けて、ドレンパン１００の右部と上パネル２００の右部とをアソビを介して連結してもよい。逆に、ドレンパン１００の凸部１０１Ｘと上パネル２００の凹部２０１Ｘとを吹き出し口１６の中央よりも右寄りに設けて、ドレンパン１００の左部と上パネル２００の左部とをアソビを介して連結してもよい。
【００５５】
あるいは、ドレンパン１００および上パネル２００の左部と右部の２か所にアソビを設けて連結する形態に限らず、３か所以上にアソビを設けて連結してもよい。
【００５６】
（まとめ）
本発明の一局面にかかる空気調和機は、吹き出し口１６の周囲を構成する第１の部材１００と、吹き出し口１６の上面の少なくとも一部を構成し、第１の部材１００に対して左右方向にアソビを有して取り付けられる第２の部材２００と、を備える。
【００５７】
好ましくは、第２の部材２００は、複数箇所において第１の部材１００に対して左右方向にアソビを有して取り付けられる。
【００５８】
好ましくは、第２の部材２００は、左右中間部分において、第１の部材に対する位置決め部２０１Ｘを含む。
【００５９】
好ましくは、第２の部材２００と第１の部材１００との間の、吹き出し口１６に接する箇所に隙間が形成される。当該隙間の左右方向の幅Ｂがアソビの距離Ａよりも大きい。
【００６０】
好ましくは、空気調和機は、隙間を覆うための部材１０５Ｌ，１０５Ｒを含む。
【００６１】
好ましくは、アソビは、第２の部材２００を第１の部材１００に取り付けるための段付きビス３００Ｌ，３００Ｒによって実現される。
【００６２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【００６３】
１          ：室内機
１０        ：筐体
１１        ：前面パネル
１２        ：本体パネル
１３        ：背面パネル
１５        ：フラップ
１６        ：吹き出し口
１７        ：開口部
２１        ：上下風向板
５０        ：左右風向ユニット
５１        ：左右風向板
５２        ：連結フレーム
５３        ：ベース部
５５Ｌ      ：ロック
５５Ｒ      ：ロック
１００      ：ドレンパン
１０１      ：ケーシング
１０１Ｌ    ：左壁
１０１ＬＡ  ：貫通孔
１０１Ｒ    ：右壁
１０１Ｘ    ：凸部（位置決め部）
１０２      ：ボス部
１０２Ａ    ：ネジ溝
１０２Ｂ    ：段差
１０５Ｌ    ：カバー部
１０５Ｒ    ：カバー部
１１０Ｌ    ：駆動モータ
１１０Ｒ    ：駆動モータ
１２０      ：中央フレーム
１２２      ：凹部
２００      ：上パネル
２０１      ：ケーシング
２０１Ａ    ：リブ
２０１ＡＡ  ：貫通孔
２０１Ｂ    ：リブ
２０１Ｃ    ：リブ
２０１Ｘ    ：凹部（位置決め部）
２０１Ｙ    ：幅広部
２０１Ｚ    ：ネジ穴
２０５      ：取り付け部材
２１０      ：駆動モータ
３００Ｂ    ：ネジ
３００Ｌ    ：段付きビス
３００Ｒ    ：段付きビス
３１０      ：ネジ部
３２０      ：胴部
３３０      ：頭部
３３１      ：座面
４００      ：ワッシャー
【図１】
2018179398.tif 000003
【図２】
2018179398.tif 000004
【図３】
2018179398.tif 000005
【図４】
2018179398.tif 000006
【図５】
2018179398.tif 000007
【図６】
2018179398.tif 000008
【図７】
2018179398.tif 000009
【図８】
2018179398.tif 000010
【図９】
2018179398.tif 000011
【図１０】
2018179398.tif 000012
【図１１】
2018179398.tif 000013
【図１２】
2018179398.tif 000014
【図１３】
2018179398.tif 000015